(57)【要約】【課題】消費電力を極限まで低減させることができる位相変調方式の受信装置を提供する。【解決手段】所定の変調方式（位相変調方式）よる変調を受けた被送信信号を受信し該受信した信号をダウンコンバートするＲＦ信号処理部１００と、ＲＦ信号処理部１００によってダウンコンバートされた信号のシンボル期間毎の変調の状態に基づいてデジタルデータを復調するベースバンド信号処理部２００と、を備えた位相変調方式による信号の受信装置１０であって、位相変調方式による信号の各シンボル期間における所定の部分的期間に限定してＲＦ信号処理部１００を間欠的に稼動させるように制御する制御部２３０を備える。【選択図】図２
2008167371.tif 000002
【特許請求の範囲】
【請求項１】
所定の変調方式よる変調を受けた被送信信号を受信し該受信した信号をダウンコンバー
トするＲＦ信号処理部と、前記ＲＦ信号処理部によってダウンコンバートされた信号のシ
ンボル期間毎の変調の状態に基づいてデジタルデータを復調するベースバンド信号処理部
と、を備えた被送信信号の受信装置であって、
前記所定の変調方式による変調を受けた被送信信号の各シンボル期間における所定の部
分的期間に限定して前記ＲＦ信号処理部を間欠的に稼動させるように制御する制御部を備
えていることを特徴とする受信装置。
【請求項２】
前記制御部は、前記所定の変調方式による変調を受けた被送信信号の各シンボル期間に
おける前記所定の部分的期間として、前記各シンボル期間における中央位置を含む期間を
選択することを特徴とする請求項１に記載の受信装置。
【請求項３】
前記ベースバンド信号処理部は前記ＲＦ信号処理部で受信された信号品質を検出し、且
つ、前記制御部は、該検出された品質の値に応じて前記ＲＦ信号処理部の間欠的な稼動態
様を制御することを特徴とする請求項１〜２の何れか一項に記載の受信装置。
【請求項４】
前記ＲＦ信号処理部は、電圧制御発振回路と位相同期回路とバッファとを含んで構成さ
れローカル周波数信号を生成するＰＬＬ方式のローカル周波数信号生成部を備え、且つ、
前記制御部は、前記ローカル周波数信号生成部のうち前記電圧制御発振回路を間欠的に稼
動させるように制御することを特徴とする請求項１〜３の何れか一項に記載の受信装置。
【請求項５】
前記ＲＦ信号処理部は、電圧制御発振回路と位相同期回路とバッファとを含んで構成さ
れローカル周波数信号を生成するＰＬＬ方式のローカル周波数信号生成部を備え、且つ、
前記制御部は、前記ローカル周波数信号生成部のうち前記バッファを間欠的に稼動させる
ように制御することを特徴とする請求項１〜３の何れか一項に記載の受信装置。
【請求項６】
前記ＲＦ信号処理部は、電圧制御発振回路と位相同期回路とバッファとを含んで構成さ
れローカル周波数信号を生成するＰＬＬ方式のローカル周波数信号生成部を備え、且つ、
前記制御部は、電圧制御発振回路と位相同期回路とバッファとを含む前記ローカル周波数
信号生成部全体を間欠的に稼動させるように制御することを特徴とする請求項１〜３の何
れか一項に記載の受信装置。
【請求項７】
前記制御部は、前記ＲＦ信号処理部全体を間欠的に稼動させるように制御を行うことを
特徴とする請求項１〜２の何れか一項に記載の受信装置。
【請求項８】
前記制御部は、前記ベースバンド信号処理部内に設けられていることを特徴とする請求
項１〜７の何れか一項に記載の受信装置。
【請求項９】
前記制御部は、前記ＲＦ信号処理部と前記ベースバンド信号処理部とを含む受信装置の
系全体を統括的に管理するシステムコントローラ内に一つの機能部として設定されている
ことを特徴とする請求項１〜７の何れか一項に記載の受信装置。
【請求項１０】
所定の変調方式よる変調を受けた被送信信号を受信し該受信した信号をダウンコンバー
トするＲＦ信号処理部と、前記ＲＦ信号処理部によってダウンコンバートされた信号のシ
ンボル期間毎の変調の状態に基づいてデジタルデータを復調するベースバンド信号処理部
と、を備えた被送信信号の受信装置であって、
前記所定の変調方式による変調を受けた被送信信号の各シンボル期間における所定の部
分的期間に限定して前記ベースバンド信号処理部を間欠的に稼動させるように制御する制
御部を備えていることを特徴とする受信装置。
【請求項１１】
前記制御部は、前記ＲＦ信号処理部と前記ベースバンド信号処理部とを含む受信装置の
系全体を統括的に管理するシステムコントローラ内に一つの機能部として設定されている
ことを特徴とする請求項１０に記載の受信装置。
【請求項１２】
所定の変調方式よる変調を受けた被送信信号を受信し該受信した信号をダウンコンバー
トするＲＦ信号処理を、前記所定の変調方式による変調を受けた被送信信号の各シンボル
期間における所定の部分的期間に限定して間欠的に実行することを特徴とする受信方法。
【請求項１３】
所定の変調方式よる変調を受けた被送信信号を受信し該受信した信号にＲＦ信号処理を
施してダウンコンバートされた信号のシンボル期間毎の変調の状態に基づいてデジタルデ
ータを復調するベースバンド信号処理を前記所定の変調方式による変調を受けた被送信信
号の各シンボル期間における所定の部分的期間に限定して間欠的に実行することを特徴と
する受信方法。
【発明の詳細な説明】
【技術分野】
【０００１】
本発明は、受信装置、および、受信方法に関し、特に、受信装置、および、受信方法の
省電力に係る特性の改良に関する。
【背景技術】
【０００２】
従来より、受信装置の消費電力を低減し、電源としての電池の消耗を抑制しようといっ
た提案が種々なされている。例えば、ＦＳＫ受信機のＰＬＬ局部発振回路を位相同期保持
状態に対応して間欠動作させることによって電池の消費電力を抑圧しようとする提案があ
る（例えば特許文献１参照）。
この提案は、選択呼出受信機のように、地域によって回線周波数が設定されている場合
、局部発振回路の周波数が固定された選択呼出受信機では呼出することが不可能であるの
に対し、ＰＬＬを局部発振回路に用いた選択呼出受信機では、問題なく呼出することが可
能であるが、固定の水晶発振回路と比較して、局部発振周波数を提供するＰＬＬ発振回路
が  ＰＬＬ制御を行うため消費電流が増加してしまうという点を技術課題とするものであ
る。
【０００３】
この技術課題を解決するために、ＦＳＫ変調波に対する位相同期ループを確保しＦＳＫ
変調波の復調に必要な第１の局部発振周波数を出力するＰＬＬ局部発振手段と、第１の局
部発振周波数による第１中間周波数を第２の局部発振周波数により第２中間周波数に低周
波変換したのち復調してベースバンド信号を抽出する復調手段とを備えたダブルスーパー
ヘテロダイン形式のＦＳＫ受信機において、復調手段の復調した信号の平均値が位相同期
ループによる位相同期の逸脱状態を示すとき制御信号検出手段から所定の制御信号を出力
し、且つ、復調手段の復調した信号にもとづいてビット同期およびフレーム同期を検出し
て同期検出手段から同期信号を出力し、ＰＬＬ間欠動作手段によって、これら制御信号検
出手段および同期検出手段の出力を受けつつ、制御信号の入力不在状態では、ＰＬＬ局部
発振手段が位相同期状態を確保している場合はこのＰＬＬ局部発振手段の位相同期ループ
動作を停止させた状態で第１の局部発振周波数を保持させ、一方、制御信号の入力がある
状態では位相同期ループ動作を活動させて第１の局部発振周波数を保持させるようにして
いる。
【０００４】
即ち、ＰＬＬ回路の位相同期引込み状態の如何に応じてＰＬＬ回路を間欠的に動作させ
ることにより、ＰＬＬ回路の消費電流を受信時に低減し、電池寿命を改善するといったも
のである。
【特許文献１】特開平６−１０４９４１号公報（段落００３４〜段落００３６、図３）
【発明の開示】
【発明が解決しようとする課題】
【０００５】
しかしながら、ＰＬＬ回路の位相同期引込み状態に依拠してＰＬＬ回路を間欠的に動作
させたとしても、なお、その節電効果には限界がある。因みに、特許文献１に提案の技術
では、この提案における「制御信号」が途切れている期間に限って位相同期ループ動作を
停止させるに留まり、局部発振周波数の信号を用いた所謂ダウンコンバート処理は受信中
の全期間に渡って継続しており、該継続の限りで所要とされる電力は常時消費されること
になる。
本発明はこのような事情に鑑みてなされたものであり、所定の変調方式よる変調を受け
た被送信信号を受信する受信装置および受信方法において、消費電力を大幅に抑制可能に
することを目的とする。
【課題を解決するための手段】
【０００６】
上記課題を解決するべく、本願では次に列記するような技術を提案する。
（１）所定の変調方式よる変調を受けた被送信信号を受信し該受信した信号をダウンコ
ンバートするＲＦ信号処理部と、前記ＲＦ信号処理部によってダウンコンバートされた信
号のシンボル期間毎の変調の状態に基づいてデジタルデータを復調するベースバンド信号
処理部と、を備えた被送信信号の受信装置であって、
前記所定の変調方式による変調を受けた被送信信号の各シンボル期間における所定の部
分的期間に限定して前記ＲＦ信号処理部を間欠的に稼動させるように制御する制御部を備
えていることを特徴とする受信装置。
【０００７】
上記（１）の受信装置では、所定の変調方式による変調を受けた被送信信号の各シンボ
ル期間における所定の部分的期間に限定してＲＦ信号処理部が間欠的に稼動することにな
るため、順次の各シンボル期間における上記の部分的期間毎に信号（搬送波の位相変調状
況）が検出されてベースバンド信号が復調される一方、順次の各シンボル期間におけるこ
れら部分的期間以外の期間ではＲＦ信号処理部は休止しているため、消費電力が大幅に抑
制される。
【０００８】
（２）前記制御部は、前記所定の変調方式による変調を受けた被送信信号の各シンボル
期間における前記所定の部分的期間として、前記各シンボル期間における中央位置を含む
期間を選択することを特徴とする（１）の受信装置。
上記（２）の受信装置では、（１）の受信装置において特に、上述の順次の各シンボ
ル期間における中央位置を含む期間が選択的に稼動する形でＲＦ信号処理部が間欠的に稼
動することになるため、消費電力が大幅に抑制される一方、エラーの少ない信頼性の高い
復調を行うことができる可能性が高くなる。
【０００９】
（３）前記ベースバンド信号処理部は前記ＲＦ信号処理部で受信された信号に関する品
質を検出し、且つ、前記制御部は、該検出された品質の値に応じて前記ＲＦ信号処理部の
間欠的な稼動態様を制御することを特徴とする（１）〜（２）の何れか一の受信装置。
上記（３）の受信装置では、（１）〜（２）の何れか一の受信装置において特に、検出
された品質の値、代表的には例えばＢＥＲ（Ｂｉｔ  Ｅｒｒｏｒ  Ｒａｔｅ、ビット誤り
率）の値に応じて前記ＲＦ信号処理部の間欠的な稼動態様を制御するため、ＢＥＲの低下
を招来するおそれのない信頼性の高い復調を行うことができる。
【００１０】
（４）前記ＲＦ信号処理部は、電圧制御発振回路と位相同期回路とバッファとを含んで
構成されローカル周波数信号を生成するＰＬＬ方式のローカル周波数信号生成部を備え、
且つ、前記制御部は、前記ローカル周波数信号生成部のうち前記電圧制御発振回路を間欠
的に稼動させるように制御することを特徴とする（１）〜（３）の何れか一の受信装置。
上記（４）の受信装置では、（１）〜（３）の何れか一の受信装置において特に、受信
装置全体のうちでも特に消費電力の大きい電圧制御発振回路を、順次の各シンボル期間に
おいて間欠的に稼動させ、その他の期間休止させることによって、消費電力が大幅に抑制
され、且つ、ＲＦ信号処理部全体を間欠的に稼動させるよりも構成が簡単になる。
【００１１】
（５）前記ＲＦ信号処理部は、電圧制御発振回路と位相同期回路とバッファとを含んで
構成されローカル周波数信号を生成するＰＬＬ方式のローカル周波数信号生成部を備え、
且つ、前記制御部は、前記ローカル周波数信号生成部のうち前記バッファを間欠的に稼動
させるように制御することを特徴とする（１）〜（３）の何れか一の受信装置。
上記（５）の受信装置では、（１）〜（３）の何れか一の受信装置において特に、受信
装置全体のうちでも比較的消費電力の大きいバッファを、順次の各シンボル期間において
間欠的に稼動させ、該稼動期間以外の期間休止させることによって、消費電力が大幅に抑
制され、且つ、ＲＦ信号処理部のうちの他の部分や全体を間欠的に稼動させるよりも構成
が簡単になる。
【００１２】
（６）前記ＲＦ信号処理部は、電圧制御発振回路と位相同期回路とバッファとを含んで
構成されローカル周波数信号を生成するＰＬＬ方式のローカル周波数信号生成部を備え、
且つ、前記制御部は、電圧制御発振回路と位相同期回路とバッファとを含む前記ローカル
周波数信号生成部全体を間欠的に稼動させるように制御することを特徴とする（１）〜（
３）の何れか一の受信装置。
上記（６）の受信装置では、（１）〜（３）の何れか一の受信装置において特に、電圧
制御発振回路と位相同期回路とバッファとを含む前記ローカル周波数信号生成部全体を間
欠的に稼動させ、該稼動期間以外の期間休止させることによって、消費電力が極めて効果
的に抑制され得る。
【００１３】
（７）前記制御部は、前記ＲＦ信号処理部全体を間欠的に稼動させるように制御を行う
ことを特徴とする（１）〜（２）の何れか一の受信装置。
上記（７）の受信装置では、（１）〜（２）の何れか一の受信装置において特に、順次
の各シンボル期間でＲＦ信号処理部全体を間欠的に稼動させ、該稼動期間以外では休止さ
せるため極めて大きい消費電力抑制効果が得られる。
【００１４】
（８）前記制御部は、前記ベースバンド信号処理部内に設けられていることを特徴とする
（１）〜（７）の何れか一の受信装置。
上記（８）の受信装置では、（１）〜（７）の何れか一の受信装置において特に、制御
部がベースバンド信号処理部内に設けられているため、小型化が容易である。
【００１５】
（９）前記制御部は、前記ＲＦ信号処理部と前記ベースバンド信号処理部とを含む受信
装置の系全体を統括的に管理するシステムコントローラ内に一つの機能部として設定され
ていることを特徴とする（１）〜（７）の何れか一の受信装置。
上記（９）の受信装置では、（１）〜（７）の何れか一の受信装置において特に、制御
部がＲＦ信号処理部とベースバンド信号処理部とを含む受信装置の系全体を統括的に管理
するシステムコントローラ内に一つの機能部として設定されているため、高機能な制御が
可能になる。
【００１６】
（１０）所定の変調方式よる変調を受けた被送信信号を受信し該受信した信号をダウン
コンバートするＲＦ信号処理部と、前記ＲＦ信号処理部によってダウンコンバートされた
信号のシンボル期間毎の変調の状態に基づいてデジタルデータを復調するベースバンド信
号処理部と、を備えた被送信信号の受信装置であって、
前記所定の変調方式による変調を受けた被送信信号の各シンボル期間における所定の部
分的期間に限定して前記ベースバンド信号処理部を間欠的に稼動させるように制御する制
御部を備えていることを特徴とする受信装置。
【００１７】
上記（１０）のは、所定の変調方式による変調を受けた被送信信号の各シンボル期間に
おける所定の部分的期間に限定してベースバンド信号処理部が間欠的に稼動することにな
るため、順次の各シンボル期間における上記の部分的期間毎に信号（搬送波の位相変調状
況）が検出されてベースバンド信号が復調される一方、順次の各シンボル期間におけるこ
れら部分的期間以外の期間ではベースバンド信号処理部は休止しているため、消費電力が
大幅に抑制される。
【００１８】
（１１）前記制御部は、前記ＲＦ信号処理部と前記ベースバンド信号処理部とを含む受
信装置の系全体を統括的に管理するシステムコントローラ内に一つの機能部として設定さ
れていることを特徴とする（１０）の受信装置。
上記（１１）の受信装置では、（１０）の受信装置において特に、制御部がＲＦ信号処
理部とベースバンド信号処理部とを含む受信装置の系全体を統括的に管理するシステムコ
ントローラ内に一つの機能部として設定されているため、高機能な制御が可能になる。
【００１９】
（１２）所定の変調方式よる変調を受けた被送信信号を受信し該受信した信号をダウンコ
ンバートするＲＦ信号処理を、前記所定の変調方式による変調を受けた被送信信号の各シ
ンボル期間における所定の部分的期間に限定して間欠的に実行することを特徴とする受信
方法。
上記（１２）の受信方法では、順次の各シンボル期間における上記の部分的期間毎に信
号（搬送波の位相変調状況）が検出されてベースバンド信号が復調される一方、順次の各
シンボル期間におけるこれら部分的期間以外の期間ではＲＦ信号処理が休止しているため
、消費電力が大幅に抑制される。
【００２０】
（１３）所定の変調方式よる変調を受けた被送信信号を受信し該受信した信号にＲＦ信
号処理を施してダウンコンバートされた信号のシンボル期間毎の変調の状態に基づいてデ
ジタルデータを復調するベースバンド信号処理を前記所定の変調方式による変調を受けた
被送信信号の各シンボル期間における所定の部分的期間に限定して間欠的に実行すること
を特徴とする受信方法。
上記（１３）の受信方法では、順次の各シンボル期間における上記の部分的期間毎に信
号（搬送波の位相変調状況）が検出されてベースバンド信号が復調される一方、順次の各
シンボル期間におけるこれら部分的期間以外の期間ではベースバンド信号処理が休止して
いるため、消費電力が大幅に抑制される。
【発明を実施するための最良の形態】
【００２１】
以下、本発明の実施の形態を図面を参照して説明する。
本明細書の開示における被送信信号は、所定の変調方式によって変調を受け送信される
信号であるが、該変調方式としては、ＡＭ、ＦＭ、ＰＭ、ＡＳＫ、ＰＳＫ、ＦＳＫ、ＱＡ
Ｍ、ＤＭ、ＭＳＫ、ＣＣＫ、ＰＷＭ、ＰＡＭ、ＰＤＭ、ＰＰＭ、および、ＰＣＭ等の方式
を適用することが可能であり、以下の説明においては、上述の各例のうちＰＳＫの一方式
であるＢＰＳＫを用いた実施の形態について詳述する。
図１は、本発明の原理を説明するための信号および装置の動作タイミングを表す波形図で
ある。
【００２２】
図１（Ａ）は、位相変調方式によって被送信信号の搬送を担う搬送波の波形図であり、
図１（Ｂ）は、図１（Ａ）の搬送波によって搬送されるベースバンド信号の波形図であり
、図１（Ｃ）は、図１（Ｂ）のベースバンド信号による位相変調を受けた搬送波（ＢＰＳ
Ｋ方式の信号）の波形図であり、図１（Ｄ）は、図１（Ｃ）の信号から図１（Ｂ）のベー
スバンド信号を復するべく本発明の受信装置の該当部を稼動状態にするタイミングを表す
図である。
【００２３】
本発明の原理を、この図１を参照して説明するが、それに先立って、従来の位相変調方
式の信号の成り立ちについて図１４を参照して説明する。
図１４は、一般的な位相変調方式の一つであるＢＰＳＫ方式の信号を表す波形図である
。この図１４においては、説明の便宜上、波形の位相変化の様子が容易に判読されるよう
に、実際の信号波形に比し信号波形の1周期を大きくして（従って、周波数を敢えて低い
状態に表現して）1シンボル期間に２周期分の波形が収まるように表現してある。
【００２４】
図１４（Ａ）は、ベースバンド信号の波形図であり、図１４（Ｂ）は、図１４（Ａ）の
ベースバンド信号を担う搬送波の波形図であり、図１４（Ｃ）は、図１４（Ａ）のベース
バンド信号による位相変調を受けた搬送波の波形図である。
図１４に表された通り、図１４（Ａ）のベースバンド信号のＨまたはＬ（１または０）
に応じて図１４（Ｃ）のように図１４（Ｂ）の搬送波が１８０度位相シフト（反転）され
ることになる。
【００２５】
この図１４では、説明の便宜上、データレートと搬送波の周波数とがそれ程異ならない
ように描かれているが、実際には、図１（Ｃ）に実際の現象に比較的近い表現がされてい
るように、例えば、ＣＤＭＡ２０００の日本での周波数は、860.95MHzの搬送波に対して
、データレートは1.2288MHzであるので、図１（Ｂ）のベースバンド信号によって搬送波
の位相が反転する変調を受けるのは、即ち、１シンボル期間は、搬送波の略700周期分の
期間に相当する。
【００２６】
本発明はこの点に着目して、例えば図１（Ｃ）のような位相変調方式の信号（ＢＰＳＫ
方式の信号）を受信し該受信した信号をダウンコンバートするＲＦ信号処理を、この位相
変調方式による信号の各シンボル期間（即ち、図１（Ｂ）のベースバンド信号に対応する
チップレートに相応する、搬送波の略700周期分の期間）における例えば図１（Ｄ）のタ
イミング波形図によって表されるような所定の部分的期間（順次のシンボル期間のうちの
各限定的期間）に限定して間欠的に実行することを特徴とする。
【００２７】
本発明では、このように、順次の各シンボル期間における上記の部分的期間毎に信号（
搬送波の位相変調状況）が検出されてベースバンド信号が復調される一方、順次の各シン
ボル期間におけるこれら部分的期間以外の期間ではＲＦ信号処理が休止しているため、消
費電力が大幅に抑制される。
図２は、本発明の一つの実施の形態としての受信装置１０を表すブロック図である。こ
の受信装置は、被送信信号の受信装置であって、変調方式の一例である位相変調方式の信
号（ＲＦ信号）を受信し該受信した信号をダウンコンバートするＲＦ信号処理部１００と
、ＲＦ信号処理部１００によってダウンコンバートされた信号のシンボル期間毎の変調の
状態（位相の変化）に基づいてデジタルデータを復調するベースバンド信号処理部２００
と、を備えている。
【００２８】
ベースバンド信号処理部２００は、ＲＦ信号処理部１００から供給されるダウンコンバ
ートされた信号をデジタル信号に変換するＡＤ変換部２１０と、ＡＤ変換部２１０でデジ
タル化された信号を復号して元の音声その他のデータＤを再生する一方、この再生に係る
ＢＥＲ（ビットエラーレート）を検出する信号処理部２２０と、信号処理部２２０で検出
されたＢＥＲに応じて、所定の変調方式による変調を受けた被送信信号の各シンボル期間
における、例えば図１（Ｄ）を参照して上述したような所定の部分的期間に限定してＲＦ
信号処理部１００を間欠的に稼動させるように制御する制御部２３０を備えている。
【００２９】
図２の実施の形態の受信装置では、所定の変調方式による変調を受けた被送信信号の各
シンボル期間における所定の部分的期間に限定してＲＦ信号処理部１００が間欠的に稼動
することになるため、順次の各シンボル期間における、例えば図１（Ｄ）を参照して上述
したような部分的期間毎に信号（搬送波の位相変調状況）が検出されてベースバンド信号
が復調される一方、順次の各シンボル期間におけるこれら部分的期間以外の期間ではＲＦ
信号処理部は休止しているため、消費電力が大幅に抑制される。
【００３０】
図１（Ｄ）のタイミング波形から理解される通り、この実施の形態では、順次の各シン
ボル期間における中央位置を含む期間が選択的に稼動する形でＲＦ信号処理部１００が間
欠的に稼動することになるため、消費電力が大幅に抑制される一方、位相変調方式の信号
（ＲＦ信号）の検出についてはエラーの少ない信頼性の高い復調を行うことができる可能
性が高くなる。
【００３１】
尚、通常の場合、ＢＥＲが良好なのは、各シンボル期間における中央位置を含む期間を
被検出期間のタイミングとして選択して所定の変調方式による変調を受けた被送信信号の
位相を検出することが有利と考えられるため、図２を参照して説明した構成のように、信
号処理部２２０で検出されたＢＥＲに応じて、所定の変調方式による変調を受けた被送信
信号の各シンボル期間内で、位相を検出するためにＲＦ信号処理部１００を稼動させるタ
イミングは、各シンボル期間における中央位置を含む期間になることが多いと見込まれる
が、本発明の思想は、この限りに限定されるものではない。
【００３２】
即ち、信号処理部２２０で検出されたＢＥＲに応じて、必ずしも各シンボル期間におけ
る中央位置を含む期間ではないタイミングでＲＦ信号処理部１００を稼動させても、所要
のＢＥＲを維持しつつ、受信された信号の復調を行うことも期待できる。
何れにしても、本実施の形態による消費電力の抑制効果の程度は、例えば、図１（Ｄ）
のタイミング波形におけるデューティー比から直感的に理解されるように卓抜したもので
ある。
【００３３】
（第１の実施例）
図３は、既述の実施の形態をより具体的にした本発明の第１の実施例としての受信装置
１１を表すブロック図である。図３において図２との対応部は同一の参照符号を用いて示
し、適宜それらの説明は省略する。
図３において、ＲＦ信号処理部１００は、ＲＦ信号を受けて増幅するローノイズアンプ
（図中および以下の説明においてＬＮＡ）１１０と、このＬＮＡ１１０の出力をローカル
周波数信号と混合してダウンコンバートするミキサ１２０と、このキサ１２０の出力をバ
ンドパスフィルタ（図中および以下の説明においてＢＰＦ）１３０を通した信号を増幅し
て次段のベースバンド信号処理部２００に出力する増幅回路１４０と、上述のローカル周
波数信号を生成するＰＬＬ方式のローカル周波数信号生成部１５０とを備えている。
【００３４】
このローカル周波数信号生成部１５０は、電圧制御発振回路（図中および以下の説明に
おいてＶＣＯ）１５１と位相同期回路１５２とバッファ１５３とを含んで構成されている
。
図３の実施例では、ベースバンド信号処理部２００の既述の制御部２３０は、ＲＦ信号
処理部１００の上述のＰＬＬ方式のローカル周波数信号生成部１５０のうち、そのＶＣＯ
１５１が間欠的に稼動するように制御する。
【００３５】
受信装置１１全体のうちでもＲＦ信号処理部１００における上述のＰＬＬ方式のローカ
ル周波数信号生成部１５０のうち、特に消費電力の大きいＶＣＯ１５１を、順次の各シン
ボル期間において間欠的に稼動させ、その他の期間休止させることによって、消費電力が
大幅に抑制され、且つ、ＲＦ信号処理部全体を間欠的に稼動させるよりも構成が簡単であ
る。
【００３６】
（第２の実施例）
図４は、既述の実施の形態をより具体的にした本発明の第２の実施例としての受信装置
１２を表すブロック図である。図４において図２および図３との対応部は同一の参照符号
を用いて示し、適宜それらの説明は省略する。
図４の実施例では、ベースバンド信号処理部２００の既述の制御部２３０は、ＲＦ信号
処理部１００の上述のＰＬＬ方式のローカル周波数信号生成部１５０のうち、そのバッフ
ァ１５３を間欠的に稼動させるように制御する。
【００３７】
受信装置１２全体のうちでもＲＦ信号処理部１００における上述のＰＬＬ方式のローカ
ル周波数信号生成部１５０のうち、比較的消費電力の大きいバッファ１５３を間欠的に稼
動させ、その他の期間休止させることによって、消費電力が大幅に抑制され、且つ、ＲＦ
信号処理部１００のうちの他の部分や全体を間欠的に稼動させるよりも構成が簡単である
。
【００３８】
（第３の実施例）
図５は、既述の実施の形態をより具体的にした本発明の第３の実施例としての受信装置
１３を表すブロック図である。図５において図２および図３との対応部は同一の参照符号
を用いて示し、適宜それらの説明は省略する。
図５の実施例では、ベースバンド信号処理部２００の既述の制御部２３０は、ＲＦ信号
処理部１００の上述のＰＬＬ方式のローカル周波数信号生成部１５０に対しそのＶＣＯ１
５１と位相同期回路１５２とバッファ１５３とを含むローカル周波数信号生成部１５０全
体を間欠的に稼動させるように制御する。
図５の実施例では、ＶＣＯ１５１と位相同期回路１５２とバッファ１５３とを含むロー
カル周波数信号生成部１５０全体を間欠的に稼動させ、該稼動期間以外の期間休止させる
ことによって、消費電力が極めて効果的に抑制され得る。
【００３９】
（第４の実施例）
図６は、既述の実施の形態をより具体的にした本発明の第４の実施例としての受信装置
１４を表すブロック図である。図６において図２および図３との対応部は同一の参照符号
を用いて示し、適宜それらの説明は省略する。
図６の実施例では、ベースバンド信号処理部２００の既述の制御部２３０は、ＲＦ信号
処理部１００を間欠的に稼動させるように制御する。
【００４０】
図７は、図３〜図６におけるＲＦ信号処理部１００におけるローカル周波数信号生成部
１５０の構成をより詳細に表すブロック図である。
図７において、ＰＬＬ方式のローカル周波数信号生成部には改めて参照符号１５００を
割り当てて示してある。このローカル周波数信号生成部１５００は、ＶＣＯ１５１０と位
相同期回路１５２０と出力バッファ１５３０とを含んで構成される。
【００４１】
位相同期回路１５２０は、ＶＣＯ１５１０から供給される信号を分周する分周器１５２
１と、この分周器１５２１の出力と図示しない水晶発振器等の外部の基準周波数発生器か
ら供給される参照信号Ｓｒとの周波数および位相を比較する位相周波数比較器・チャージ
ポンプ１５２２と、位相周波数比較器・チャージポンプ１５２２の出力を濾波してＶＣＯ
１５１０に供給するＬＰＦ１５２３とを含んで構成される。
【００４２】
図８は、図７のＶＣＯ１５１０の構成例を表すブロック図である。図８のＶＣＯ１５１
０ａでは、２段のインバータ１５１１およびインバータ１５１２の縦続接続の後段に接続
されたＮＡＮＤ回路１５１５の出力が、前段のインバータ１５１１に帰還されるように接
続された帰還ループ構成を有し、ベースバンド信号処理部２００の既述の制御部２３０か
ら供給される制御信号Ｓｃ１によって、ＶＣＯ１５１０の発振と停止とが制御される。
【００４３】
即ち、図８の回路では、ＮＡＮＤ回路１５１５の一方の入力端に供給される制御信号Ｓ
ｃ１がハイ（Ｈ）のとき、他方の入力端に供給される信号に対してＮＡＮＤ回路１５１５
がインバータとして機能するため、図８のＶＣＯ１５１０ａ全体が３段のインバータによ
る発振回路として稼動する。
また、ＮＡＮＤ回路１５１５の一方の入力端に供給される制御信号Ｓｃ１がロー（Ｌ）
のとき、他方の入力端に供給される信号に対してＮＡＮＤ回路１５１５の出力が常時ハイ
（Ｈ）となるように機能するため、図８のＶＣＯ１５１０ａは停止状態を維持する。
【００４４】
尚、図８の回路では、帰還ループ中にＮＡＮＤ回路１５１５が介挿される構成を採った
が、このＮＡＮＤ回路１５１５に替えてＮＯＲ回路（不図示）を適用するようにして構成
することもできる。
このようにＮＯＲ回路を適用した場合には、一方の入力端に供給される制御信号Ｓｃ１
がハイ（Ｈ）のとき、他方の入力端に供給される信号に対してＮＯＲ回路の出力が常時ロ
ー（Ｌ）となるように機能するため、図８のＶＣＯ１５１０ａは停止状態を維持する。こ
れに対し、ＮＯＲ回路の一方の入力端に供給される制御信号Ｓｃ１がロー（Ｌ）のとき、
ＮＯＲ回路がインバータとして機能するため、図８のＶＣＯ１５１０ａ全体が3段のイン
バータによる発振回路として稼動する。図８では、合計３段のインバータ発振回路を例と
しているが、段数は構成により最適に選択する。
【００４５】
図９は、図７のＶＣＯ１５１０の他の構成例を表すブロック図である。図９のＶＣＯ１
５１０ｂでは、３段のインバータ１５１１、１５１２、および１５１３の縦続接続の最終
段のインバータ１５１３の出力を一段目のインバータ１５１１の入力端に供給する帰還ル
ープ構成を有し、ベースバンド信号処理部２００の既述の制御部２３０から供給される制
御信号Ｓｃ２によって、各インバータ１５１１、１５１２、および１５１３への給電の断
続を制御することによってＶＣＯ１５１０ｂの稼動と停止との切換が制御される。図９で
は、合計３段のインバータ発振回路を例としているが、段数は構成により最適に選択する
。
【００４６】
図１０は、既述の各実施例における、ＲＦ信号処理部１００の全体ないしその該当部分
を稼動させるタイミングの調整の様子を説明するための図である。
図１０（Ａ）は、位相変調方式の信号におけるデータ単位の区切りとなるシンボル期間
Ｔｄを表す図であり、各シンボル期間Ｔｄは、ＣＤＭＡ方式の信号では1チップとなるデ
ータ単位区間である。
【００４７】
図１０（Ｂ）は、各シンボル期間ＴｄにおいてＲＦ信号処理部１００の全体ないしその
該当部分を稼動させるタイミングを表す図である。図１０（Ｂ）のパルス状の波形におけ
る各立ち上がり位置がＲＦ信号処理部１００（ないしその該当部分）をオン（稼動）させ
るタイミングであり、順次のシンボル期間Ｔｄにおいて各立ち上がり続く時間幅Ｔｗの期
間がオン（稼動）の持続時間である。
本発明の一つの実施の形態では、この各立ち上がり位置とオン（稼動）の持続時間Ｔｗ
とを、既述の信号処理部２２０で検出されたＢＥＲの値に基づいて制御する。
【００４８】
図１１は、ＲＦ信号処理部１００（ないしその該当部分）をオン（稼動）させるタイミ
ングを制御するための一つの構成例を表すブロック図である。このタイミングの制御は、
既述のＰＬＬ方式のローカル周波数信号生成部１５００の発振動作を制御することによっ
て行なわれるものであり、図１１において、既述の図７との対応部は同一の参照符号を附
して示してある。
【００４９】
図１１において、ローカル周波数信号生成部１５０１は、ＶＣＯ１５１０と、ＶＣＯ１
５１０から供給される信号を分周する分周器１５２１と、この分周器１５２１の出力と図
示しない水晶発振器等の外部の基準周波数発生器から供給される参照信号Ｓｒとの周波数
および位相を比較する位相周波数比較器・チャージポンプ１５２２と、位相周波数比較器
・チャージポンプ１５２２の出力を濾波してＶＣＯ１５１０に供給するＬＰＦ１５２３と
出力バッファ１５３０とを含み、更に、分周器１５２１の出力を位相周波数比較器・チャ
ージポンプ１５２２の一入力端に供給する回路中に遅延回路１５４１が介挿されて構成さ
れる。
【００５０】
図１１のローカル周波数信号生成部１５０１では、遅延回路１５４１における遅延時間
をベースバンド信号処理部２００の既述の制御部２３０から供給される制御信号Ｓｃ３に
よって調整することによって、ＲＦ信号処理部１００（その該当部分）をオン（稼動）さ
せるタイミングを制御する。
図１２は、ＲＦ信号処理部１００（ないしその該当部分）をオン（稼動）させるタイミ
ングを制御するための他の構成例を表すブロック図である。このタイミングの制御は、既
述のＰＬＬ方式のローカル周波数信号生成部１５００の発振動作を制御することによって
行なわれるものであり、図１２においても、既述の図７との対応部は同一の参照符号を附
して示してある。
【００５１】
図１２において、ローカル周波数信号生成部１５０２は、ＶＣＯ１５１０と、ＶＣＯ１
５１０から供給される信号を分周する分周器１５２１と、この分周器１５２１の出力と図
示しない水晶発振器等の外部の基準周波数発生器から供給される参照信号Ｓｒとの周波数
および位相を比較する位相周波数比較器・チャージポンプ１５２２と、位相周波数比較器
・チャージポンプ１５２２の出力を濾波してＶＣＯ１５１０に供給するＬＰＦ１５２３と
出力バッファ１５３０とを含み、更に、上述の参照信号Ｓｒを位相周波数比較器・チャー
ジポンプ１５２２の参照信号入力端に供給する回路中に遅延回路１５４２が介挿されて構
成される。
図１２のローカル周波数信号生成部１５０２では、遅延回路１５４２における遅延時間
をベースバンド信号処理部２００の既述の制御部２３０から供給される制御信号Ｓｃ４に
よって調整することによって、ＲＦ信号処理部１００（その該当部分）をオン（稼動）さ
せるタイミングを制御する。
【００５２】
（第５の実施例）
図１３は、既述の実施の形態をより具体的にした本発明の第５の実施例としての受信装
置１５を表すブロック図である。図５において図２との対応部は同一の参照符号を用いて
示し、適宜それらの説明は省略する。
図１３の実施例では、既述の他の実施例においてはベースバンド信号処理部２００内に
設けられている制御部が、ＲＦ信号処理部１００とベースバンド信号処理部２０１とを含
む受信装置の系全体を統括的に管理するシステムコントローラ３００内に一つの機能部３
１０として設定されている。
このように制御部３１０がＲＦ信号処理部１００とベースバンド信号処理部２０１とを
含む受信装置１５の系全体を統括的に管理するシステムコントローラ３００内に一つの機
能部として設定されている構成によれば、より高機能な制御が可能になる。
【００５３】
（第６の実施例）
制御部を図１３を参照して説明したようにＲＦ信号処理部１００およびベースバンド信
号処理部２００とは独立に、これらＲＦ信号処理部１００およびベースバンド信号処理部
２００を統括的に管理するようにシステムコントローラ３００を設ける形態を採る場合に
は、このシステムコントローラ３００によってベースバンド信号処理部２００の稼動およ
び非稼動を制御するように装置を構成することも出来る。
【００５４】
即ち、所定の変調方式よる変調を受けた被送信信号を受信し該受信した信号をダウンコ
ンバートするＲＦ信号処理部１００と、ＲＦ信号処理部１００によってダウンコンバート
された信号のシンボル期間毎の変調の状態に基づいてデジタルデータを復調するベースバ
ンド信号処理部２００と、上述のような制御部３００を備えて被送信信号の受信装置１５
を構成し、制御部３００によって、所定の変調方式による変調を受けた被送信信号の各シ
ンボル期間における所定の部分的期間に限定して、ベースバンド信号処理部２００を間欠
的に稼動させるように制御する。
【００５５】
制御部３００が上述のように機能する実施例では、所定の変調方式による変調を受けた
被送信信号の各シンボル期間における所定の部分的期間に限定してベースバンド信号処理
部が間欠的に稼動することになるため、順次の各シンボル期間における上記の部分的期間
毎に信号（搬送波の位相変調状況）が検出されてベースバンド信号が復調される一方、順
次の各シンボル期間におけるこれら部分的期間以外の期間ではベースバンド信号処理部は
休止しているため、消費電力が大幅に抑制される。
【００５６】
尚、上述の実施の形態に関する説明から容易に了解される通り、本発明は、所定の変調
方式よる変調を受けた被送信信号を受信し該受信した信号をダウンコンバートするＲＦ信
号処理を、前記所定の変調方式による変調を受けた被送信信号の各シンボル期間における
所定の部分的期間に限定して間欠的に実行することを特徴とする受信方法の技術思想とし
ても要約されるものである。
【００５７】
この受信方法では、順次の各シンボル期間における上記の部分的期間毎に信号（搬送波
の位相変調状況）が検出されてベースバンド信号が復調される一方、順次の各シンボル期
間におけるこれら部分的期間以外の期間ではＲＦ信号処理が休止しているため、消費電力
が大幅に抑制される。
また、本発明は、所定の変調方式よる変調を受けた被送信信号を受信し該受信した信号
にＲＦ信号処理を施してダウンコンバートされた信号のシンボル期間毎の変調の状態に基
づいてデジタルデータを復調するベースバンド信号処理を前記所定の変調方式による変調
を受けた被送信信号の各シンボル期間における所定の部分的期間に限定して間欠的に実行
することを特徴とする受信方法の技術思想としても要約される。
【００５８】
この受信方法では、順次の各シンボル期間における上記の部分的期間毎に信号（搬送波
の位相変調状況）が検出されてベースバンド信号が復調される一方、順次の各シンボル期
間におけるこれら部分的期間以外の期間ではベースバンド信号処理が休止しているため、
消費電力が大幅に抑制される。
以上を総じて、本発明の技術を実施するに際しては、次のような現実的な利点がある。
即ち、一般的に無線システムではＶＣＯとしてＬＣ発振器など、位相ノイズ特性の良いも
のが必要であり、外付けのインダクタや、オンチップインダクタなどが必要であったが、
本発明では、ＲＦ信号処理部１００（ないしその該当部分）のオンのタイミングさえ正確
であればよいため、リング発振器など位相ノイズ特性は劣るが、面積を非常に小さくでき
る形式の回路を適用できる。
【００５９】
上述におけるオンのタイミングさえ正確であればよいのは次のような理由による。即ち
、常時動作している発振器の場合、周波数偏差や位相偏差は時間が経つにつれて加算され
ていくため、長時間（順次の毎回のシンボル期間の全て）動作させると、受信信号とのず
れが起き、これがＢＥＲなどに悪影響を及ぼす。
これに対し、本発明では、ＲＦ信号処理部１００（ないしその該当部分）の稼動が既述
のように間欠的であり、短時間でオフするため、ノイズの加算により位相（周波数）が受
信信号に対してずれる度合いが少なくなる。
【００６０】
従来の方式による装置では、特に、リング発振器のように位相ノイズ特性の悪いもので
は、上述のずれの影響が顕著に現れる。
本発明を適用して有効なＣＤＭＡ受信機の場合には、一般に、基準発振器として温度補
償水晶発振器（ＴＣＸＯ）が適用されるが、その精度は±2.5ppm程度と極めて高精度であ
り、上述のオンのタイミングはこの非常に正確なＴＣＸＯに同期することになり、従って
、オンのタイミングの点については極めて精度の高い制御が行われ得る。
【図面の簡単な説明】
【００６１】
【図１】本発明の原理を説明するための信号および装置の動作タイミングを表す波形図である。
【図２】本発明の一つの実施の形態としての受信装置を表すブロック図である。
【図３】本発明の第１の実施例としての受信装置を表すブロック図である。
【図４】本発明の第２の実施例としての受信装置を表すブロック図である。
【図５】本発明の第３の実施例としての受信装置を表すブロック図である。
【図６】本発明の第４の実施例としての受信装置を表すブロック図である。
【図７】図３〜図６におけるＲＦ信号処理部のローカル周波数信号生成部の構成をより詳細に表すブロック図である。
【図８】図７のＶＣＯの構成例を表すブロック図である。
【図９】図７のＶＣＯの他の構成例を表すブロック図である。
【図１０】各実施例における、ＲＦ信号処理部の全体ないしその該当部分を稼動させるタイミングの調整の様子を説明するための図である。
【図１１】ＲＦ信号処理部ないしその該当部分をオンさせるタイミングを制御するための一つの構成例を表すブロック図である。
【図１２】ＲＦ信号処理部ないしその該当部分をオンさせるタイミングを制御するための他の構成例を表すブロック図である。
【図１３】本発明の第５の実施例としての受信装置を表すブロック図である。
【図１４】一般的な位相変調方式の一つであるＢＰＳＫ方式の信号を表す波形図である。
【符号の説明】
【００６２】
１０，１１，１２，１３，１４，１５…受信装置  １００…ＲＦ信号処理部  １５０…ロ
ーカル周波数信号生成部  １５１…ＶＣＯ  １５２…位相同期回路    １５３…バッファ
２００…ベースバンド信号処理部  ２３０…制御部  ３００…システムコントローラ  
３１０…制御部
【図１】
2008167371.tif 000003
【図２】
2008167371.tif 000004
【図３】
2008167371.tif 000005
【図４】
2008167371.tif 000006
【図５】
2008167371.tif 000007
【図６】
2008167371.tif 000008
【図７】
2008167371.tif 000009
【図８】
2008167371.tif 000010
【図９】
2008167371.tif 000011
【図１０】
2008167371.tif 000012
【図１１】
2008167371.tif 000013
【図１２】
2008167371.tif 000014
【図１３】
2008167371.tif 000015
【図１４】
2008167371.tif 000016